(57)【要約】【課題】収容物の量に応じて容積を自在に可変することが可能なスクールバッグを提供する。【解決手段】底部４と底部の両端部に上方向へ連設させた大マチ部５で構成された胴部３と、胴部の背面側に配置された背板７と、胴部の正面側に配置された前板６を具備した主収容部２と、主収容部における上部開口を開閉自在に閉鎖する蓋１１と、背板側に取り付けられた背負いベルト１２を具備し、胴部は、背板側に前板側へ向けて突出させた固定側連結管１６ａと、前板側に背板側へ向けて突出させるとともに固定側連結管にスライド自在に連結された可動側連結管１６ｂを具備したフレーム枠１４に固定され、固定側胴部２２と固定側胴部にスライド自在に連結された可動側胴部２３で構成されることで、前後方向への幅を伸縮自在にした。【選択図】図１
2016120057.tif 000002
【特許請求の範囲】
【請求項１】
底部（４）と該底部（４）の両端部に上方向へ連設させた大マチ部（５）とで構成された胴部（３）と、該胴部（３）の背面側に配置された背板（７）と、前記胴部（３）の正面側に配置された前板（６）と、を具備した、上部を開口とした主収容部（２）と、該主収容部（２）における上部開口を開閉自在に閉鎖する蓋（１１）と、前記背板（７）側に取り付けられた背負いベルト（１２）と、を具備して、
前記胴部（３）は、前記背板（７）側に前記前板（６）側へ向けて突出させた固定側連結管（１６ａ）と、前記前板（６）側に前記背板（７）側へ向けて突出させるとともに前記固定側連結管（１６ａ）にスライド自在に連結された可動側連結管（１６ｂ）と、を具備したフレーム枠（１４）に固定されるとともに、前後方向への幅を伸縮自在にした、ことを特徴とするスクールバッグ。
【請求項２】
前記胴部（３）は、
固定側底部（２２０１）と該固定側底部（２２０１）の両端部に上方向へ連設させた固定側大マチ部（２２０２）とを具備した固定側胴部（２２）と、
前記固定側底部（２２０１）にスライド自在に連結された可動側底部（２３０１）と、該可動側底部（２３０１）の両端部に上方向へ連設させるとともに前記固定側大マチ部（２２０２）にスライド自在に連結された可動側大マチ部（２３０２）と、を具備した可動側胴部（２３）と、を有することを特徴とする請求項１に記載のスクールバッグ。
【請求項３】
前記胴部（３）は、固定側底部（２２０１）と該固定側底部（２２０１）の両端部に上方向へ連設させた固定側大マチ部（２２０２）とを具備した固定側胴部（２２）と、
該固定側胴部（２２）に一端側が連結された、前後方向に伸縮自在のアコーディオン状とした可動側胴部（２３）と、で構成したことを特徴とする請求項１に記載のスクールバッグ。
【請求項４】
前記固定側胴部（２２）を背板（７）側に配置し、前記可動側胴部（２３）を前板（６）側に配置したことを特徴とする請求項３に記載のスクールバッグ。
【請求項５】
前記固定側胴部（２２）を前板（６）側に配置し、前記可動側胴部（２３）を背板（７）側に配置したことを特徴とする請求項３に記載のスクールバッグ。
【請求項６】
前記固定側胴部（２２）を、背板（７）側に配置した背板側の固定側胴部（２２ｂ）と、前板（６）側に配置した前板側の固定側胴部（２２ｃ）で構成するとともに、
前記背板側の固定側胴部（２２ｂ）と前板側の固定側胴部（２２ｃ）間に、前後方向に伸縮自在のアコーディオン状とした可動側胴部（２３）を配置した、ことを特徴とする請求項３に記載のスクールバッグ。
【請求項７】
前記胴部（３）は、伸縮自在の弾性素材により構成され、前後方向への幅を伸縮自在にした、ことを特徴とする請求項１に記載のスクールバッグ。
【発明の詳細な説明】
【技術分野】
【０００１】
本発明はスクールバッグに係り、より詳しくは、収容部の容量を自在に変更可能としたスクールバッグに関する。
【背景技術】
【０００２】
ランドセルに代表されるスクールバッグは、一般的に、底板とこの底板の両端部に上方向へ連設させた大マチ部とで構成される胴部と、この胴部の背面側に取り付けられた背板と、胴部の正面側に取り付けられた前板とで構成された、上部に開口を有する主収容部を備えており、この主収容部には上部の開口を開閉する蓋が備えられ、更に、背板には一対の肩ベルトが取り付けられている。
【０００３】
即ち、図１０が一般的なスクールバッグ３１を示す斜視図であり、図において３３が胴部である。そして、この胴部３３は、底板３４と、この底板３４の両端部に上方向へ連設させた大マチ部３５とで構成されており、この胴部３３の背面側には背板３６が取り付けられ、また胴部３３の正面側には前板３７が取付けられており、これにより、上部を開口とした主収容部３２が構成されている。
【０００４】
また、前記主収容部３２の正面側には、底部を備えた中マチ部３９が取り付けられており、この中マチ部３９の正面側には正面板４０が取り付けられ、この中マチ部３９と正面板４０とで、上部を開口とした胴前収容部３８が構成されている。
【０００５】
一方、前記主収容部３２には、主収容部３２の上部開口から前記胴前収容部３８の上部開口までを覆うことができるように、開閉可能な配置で、背板３６側に蓋４１の基端側が取り付けられている。
【０００６】
また、前記背板３６には一対の肩ベルト４２が取り付けられている。即ち、この一対の肩ベルト４２はそれぞれ、前記背板３６の上部中央部分に取り付けた背環４４によって、その上端が前記背板３６に取り付けられており、下端部はそれぞれ、前記底板３４に装着した、いわゆる「だるま環」（図示せず）に回動自在に装着した下ベルト４３に、着脱自在に連結されている。
【０００７】
ところで、前述のように構成される従来のスクールバッグでは、主収容部の大きさが固定されており、主収容部の容量を変更することができなかったため、教科書等の収容物が少ない場合は、教科書等がスクールバッグ内で揺動してしまうので背負いづらくなってしまうという問題点が指摘されていた。
【０００８】
特に、小学校低学年の場合には、授業数が少ないために使用する教科書も少なく、そのためにスクールバッグ内において教科書等が揺動してしまうことが多いが、このとき、特に入学間もない低学年の場合は、体の大きさに対してスクールバッグ全体が大きいため、スクールバッグ内において教科書等が揺動すると、より一層スクールバッグが背負いづらくなり、児童の負担が大きくなってしまうという問題点があった。
【０００９】
その一方、高学年になって教科書等が多くなってくると、主収容部内にすべての荷物を入れることが出来なくなり、スクールバッグの他に手提げかばん等を持たなければならないため、煩わしさに耐えないとともに、両手がふさがってしまっている場合などは転倒の危険があり、転倒した場合には、両手が塞がっているために大きなけがを招く場合も考えられている。
【００１０】
そのために従来から、このようなスクールバッグの問題点を解決するために、主収容部の容量を可変可能にしたものが提案されていた。
【先行技術文献】
【特許文献】
【００１１】
【特許文献１】特開２００１−２８６３１６号公報
【特許文献２】実用新案登録第３０７２３６２号公報
【特許文献３】実用新案登録第３０７３１３９号公報
【特許文献４】特開平０８−２４０２４号公報
【特許文献５】実用新案登録第３１９０８０１号公報
【発明の概要】
【発明が解決しようとする課題】
【００１２】
しかしながら、従来の主収容部の容量を可変可能にしたスクールバッグは、通常の収容量に対して収容量を少なくする構成、あるいは、通常の収容量に対して収容量を多くする構成のいずれかであり、通常の容量に対して、収容量を自在に変更可能とするものではなかった。
【００１３】
そのために、従来は、教科書等が少ない時には収容量を少なくして教科書等がスクールバッグ内で揺動してしまうことを防止できるとともに、高学年になって教科書等が多くなってきた場合でも、それらを十分に収容可能な容量に変更可能な主収容部内を備えたスクールバッグは提供されていなかった。
【００１４】
そこで、本発明は、収容物の量に応じて容積を自在に可変することが可能なスクールバッグを提供することを課題としている。
【課題を解決するための手段】
【００１５】
本発明のスクールバッグは、
底部と該底部の両端部に上方向へ連設させた大マチ部とで構成された胴部と、この胴部の背面側に配置された背板と、前記胴部の正面側に配置された前板と、を具備した、上部を開口とした主収容部と、該主収容部における上部開口を開閉自在に閉鎖する蓋部と、前記背板側に取り付けられた背負いベルトと、を具備して、
前記胴部は、前記背板側に前記前板側へ向けて突出させた固定側連結管と、前記前板側に前記背板側へ向けて突出させるとともに前記固定側連結管にスライド自在に連結された可動側連結管と、を具備したフレーム枠に固定されるとともに、前後方向への幅を伸縮自在にした、ことを特徴としている。
【発明の効果】
【００１６】
本発明のスクールバッグは、底部と該底部の両端部に上方向へ連設させた大マチ部とで構成された胴部と、この胴部の背面側に配置された背板と、前記胴部の正面側に配置された前板と、を具備した主収容部と、この主収容部における上部開口を開閉自在に閉鎖する蓋部と、前記背板側に取り付けられた背負いベルトとを具備したスクールバッグにおいて、背板側に前板側へ向けて突出させた固定側連結管と、前板側に背板側へ向けて突出させるとともに固定側連結管にスライド自在に連結された可動側連結管を具備したフレーム枠を備えて、このフレーム枠に胴部を固定し、更に、胴部を、前後方向への幅を伸縮自在にしている。
【００１７】
そのために、本発明のスクールバッグでは、フレーム枠を構成する固定側連結管に対する可動側連結管のスライドの割合を調整して、胴部の前後方向の幅を伸縮させることで、主収容部の容量を自在に可変することができる。従って、本発明のスクールバッグでは、収容物が少ない場合に教科書等がスクールバッグ内で揺動してしまい、それによりスクールバッグを背負いづらくなってしまうという問題点を解決することができるとともに、収容物が多い場合でも、スクールバッグの他に手提げかばん等をたくさん持たなければならないことを無くすることが可能である。
【図面の簡単な説明】
【００１８】
【図１】本発明のスクールバッグの実施例の斜視図である。
【図２】本発明のスクールバッグの実施例における主収容部を説明するための分解図である。
【図３】本発明のスクールバッグの実施例におけるフレーム枠を説明するための図である。
【図４】本発明のスクールバッグの実施例におけるフレーム枠を説明するための図である。
【図５】本発明のスクールバッグにおける胴部を説明するための図である。
【図６】本発明のスクールバッグにおける胴部の他の構成を説明するための図である。
【図７】本発明のスクールバッグにおける胴部の他の構成を説明するための図である。
【図８】本発明のスクールバッグにおける胴部の他の構成を説明するための図である。
【図９】本発明のスクールバッグにおける胴部の他の構成を説明するための図である。
【図１０】従来のスクールバッグを説明するための図である。
【発明を実施するための形態】
【００１９】
本発明のスクールバッグは、上部を開口とした主収容部を有し、この主収容部は、底部とこの底部の両端部に上方向へ連設させた大マチ部で構成された胴部と、胴部の背面側に配置された背板と、胴部の正面側に配置された前板を具備している。また、本発明のスクールバッグは、主収容部における上部開口を開閉自在に閉鎖する蓋部と、背板側に取り付けられた背負いベルトを具備している。
【００２０】
更に、本発明のスクールバッグではフレーム枠を有しており、このフレーム枠に胴部が固定されている。そして、フレーム枠は、背板側に、前板側へ向けて突出させて配置した固定側連結管と、前板側に、背板側へ向けて突出させて配置した可動側連結管を具備しており、可動側連結管は、固定側連結管にスライド自在に連結され、更に胴部は、前後方向への幅を伸縮自在にしている。
【００２１】
ここで、胴部を、固定側底部と、この固定側底部の両端部に上方向へ連設させた固定側大マチ部を具備した固定側胴部と、固定側底部にスライド自在に連結された可動側底部と、この稼働側底部の両端部に上方向へ連設させるとともに固定側大マチ部にスライド自在に連結された可動側大マチ部を具備した可動側胴部とで構成するとよく、これにより、胴部を前後方向への幅を伸縮自在にすることができる。
【００２２】
またその他、胴部を、固定側底部とこの固定側底部の両端部に上方向へ連設させた固定側大マチ部とを具備した固定側胴部と、前後方向に伸縮自在のアコーディオン状とした可動側胴部で構成し、可動側胴部の一端を固定側胴部に連結してもよく、これによっても胴部を前後方向へ伸縮自在にすることができる。そしてこのとき、固定側胴部と可動側胴部の配置箇所はいずれでもよく、固定側胴部を背板側に配置して可動側胴部を前板側に配置する構成、固定側胴部を前板側に配置して可動側胴部を背板側に配置する構成、又は、固定側胴部を、背板側に配置した背板側の固定側胴部と前板側に配置した前板側の固定側胴部で構成し、背板側の固定側胴部と前板側の胴部間に可動側胴部を配置する構成にしても良い。
【００２３】
更にその他、胴部をゴム等の伸縮自在の弾性素材により構成し、それにより胴部を、前後方向への幅を伸縮自在にしてもよい。
【実施例１】
【００２４】
本発明のスクールバッグの実施例について図面を参照して説明すると、図１は本実施例のスクールバッグの正面側の斜視図であり、図において１が本実施例のスクールバッグである。
【００２５】
そして、本実施例のスクールバッグ１は、上部を開口とした主収容部を有しており、この主収容部内に教科書、ノート、筆箱等を収納可能としている。即ち、図２において２が主収容部であり、本実施例において前記主収容部２は、胴部３を有しており、この胴部３は、底部４とこの底部４の両端部に上方向へ連設させた大マチ部５とで構成されている。また、この胴部３の背面側には背板７が取り付けられ、更に胴部３の正面側には前板６が取付けられており、これにより、上部を開口とした主収容部２が構成されている。
【００２６】
また、本実施例のスクールバッグ１では一般的なスクールバッグと同様に、前記主収容部２の正面側に、底部を備えた中マチ部９が取り付けられるとともにこの中マチ部９の正面側に正面板１０が取り付けられ、これにより、主収容部２の正面側には、上部を開口とした胴前収容部８が構成されている。
【００２７】
次に、図において１１は蓋である。即ち、本実施例のスクールバッグ１では、前記主収容部２の上部開口から前記胴前収容部８の上部開口までを開閉自在に覆うことができるように蓋１１が備えられている。そして、この蓋１１は、背板７の上方側に基端側が取り付けられ、先端側部分は、自由端とされるとともに、図示しない金具によって、前記胴部３の下面側に着脱自在に係止されている。但し、本発明において前記蓋１１は、必ずしもこのような構成にする必要はなく、主収容部２の上部開口から胴前収容部８の上部開口までを開閉自在に覆うことができれば良い。
【００２８】
また、前記背板７には一対の肩ベルト１２が取り付けられており、この肩ベルト１２は、それぞれの上端が、背板７の上部中央部分に取り付けた肩ベルト上端取付具１３を介して、前記背板７に取り付けられている。そして、前記肩ベルト１２の下端部はそれぞれ、前記胴部３の下面に装着した、いわゆる「だるま環」（図示せず）に連結されている。但し、本発明において前記肩ベルト１２は必ずしも前述のような構成にする必要はなく、主収容部２を背負うことが可能であればいずれの構成にしても良い。
【００２９】
次に、図２は、前記蓋１１及び肩ベルト１２を除いた本実施例のスクールバッグ１の構成を分解して示した図であり、図において３が、前記胴部である。そして、本実施例において前記胴部３は、上下を逆にした門状としており、フレーム枠に固定されているとともに、前後方向への幅を伸縮自在にしている。
【００３０】
ここで、前記フレーム枠について説明すると、図２において１４がフレーム枠であり、また、図３は前記フレーム枠を示す図である。そして、本実施例において前記フレーム枠１４は、固定側フレーム枠と可動側フレーム枠で構成され、可動側フレーム枠は、固定側フレーム枠側へスライド自在にして、固定側フレーム枠に連結されている。
【００３１】
即ち、図において１４ａが固定側フレーム枠であり、本実施例において前記固定側フレーム枠１４ａは、前記背板７に取り付けられる一対の支柱１５ａを有しており、支柱１５ａの上方部分及び下方部分にはそれぞれ、前記前板６側に向けて、筒状の固定側連結管１６ａが突設されている。また、前記支柱１５ａは上方部分及び下方部分において、棒状の補強用連結部１７ａで連結されている。但し、補強用連結部１７ａは必ずしも必要なものではなく、これを備えない構成としても良い。
【００３２】
次に、図において１４ｂは可動側フレーム枠であり、本実施例において前記可動側フレーム枠１４ｂは、前記前板６に取り付けられる一対の支柱１５ｂを有している。そして、支柱１５ｂの上方部分及び下方部分にはそれぞれ、前記背板７側に向けて、筒状の可動側連結管１６ｂが突設され、前記支柱１５ｂは、上方部分及び下方部分において、棒状の補強用連結部１７ｂで連結されている。
【００３３】
そして、本実施例において前記可動側連結管１６ｂは、前記固定側連結管１６ａにスライド自在にして連結されている。この関係について図４を参照して説明すると、図４は、固定側連結管１６ａと可動側連結管１６ｂの連結部分の構成を示した縦断面図であり、図において、可動側連結管１６ｂは、その外径を固定側連結管１６ａ内に挿入可能な寸法とし、固定側連結管１６ａの内部に、進退自在に挿入されている。
【００３４】
また、前記可動側連結管１６ｂの先端側近傍には、スプリング１９によって外周側に付勢された係止突起１８が備えられ、この係止突起１８は、先端部が、可動側連結管１６ｂの側壁に形成した貫通孔２０を貫通し、可動側連結管１６ｂの外周側に、退避自在に突出している。
【００３５】
一方、前記固定側連結管１６ａの側壁には間隔を置いて、前記係止突起１８の先端部分が挿入可能な係止孔２１が複数個所に形成され、係止孔２１内に係止突起１８を挿入させることで可動側連結管１６ｂの位置を固定可能としている。即ち、固定側連結管１６ａに対して可動側連結管１６ｂをスライドさせると、係止突起１８は、固定側連結管１６ａの内壁に押圧されて内周側に退避し、係止孔２１の箇所に至ると、固定側連結管１６ａの内壁が無くなるために外周側に突出するとともに、係止孔２１内に挿入され、それにより、可動側連結管１６ｂの位置が固定される。従って、可動側連結管１６ｂは、固定側連結管１６ａに対してスライド自在であるとともに、係止突起１８と係止孔２１の係止箇所を変更することで、固定側連結管１６ａに対するスライドの割合を任意に調節することが可能である。
【００３６】
次に、図において、前記固定側連結管１６ａにおける先端部内周側には固定側ストッパー２７ａを突設しており、一方、前記可動側連結管１６ｂの先端部外周側には鍔状の可動側ストッパー２７ｂを周設しており、これにより、可動側連結管１６ｂを固定側連結管１６ａから引き抜く方向にスライドした際に、固定側ストッパー２７ａに可動側ストッパー２７ｂが当接し、可動側連結管１６ｂが抜けてしまうことを防止している。
【００３７】
なお、本発明において前記フレーム枠１４では、必ずしも補強用連結部１７ｂは必要ではなく、これを用いなくてもよく、また、補強用連結部を用いる場合でも、必ずしも支柱１５ａ、１５ｂの上方部分及び下方部分の双方を連結する必要は無く、支柱１５ａ、１５ｂの上方部分又は下方部分のいずれかを連結した構成にしても良い。更に、本発明においては、固定側連結管１６ａが可動側連結管１６ｂ内にスライド自在に挿入される構成としても良い。更に、支柱１５ａ、１５ｂを備えず、固定側連結管１６ａを背板７に取り付け、可動側連結管１６ｂを前板６に取り付ける構成としても良い。
【００３８】
次に、このように構成されるフレーム枠１４に固定される前記胴部３について説明すると、本実施例において前記胴部３は、前後方向に幅を有する固定側胴部と、この固定側胴部に対してスライド自在とし、それにより、前後方向への幅を伸縮自在にした可動側胴部を有しており、可動側胴部もまた、前後方向に幅を有している。
【００３９】
即ち、図２において２２が固定側胴部であり、この固定側胴部２２は、板状とした固定側底部２２０１を有しており、この固定側底部２２０１の両端部には上方向へ向けて、固定側大マチ部２２０２が連設されている。
【００４０】
一方、図において２３が可動側胴部であり、この可動側胴部２３は、板状とした可動側底部２３０１と、この可動側底部２３０１の両端部に上方向へ向けて連設した可動側大マチ部２３０２を具備しており、その外径を前記固定側胴部２２の内径とほぼ同じにし、固定側胴部２２内に挿入可能としている。そして、固定側底部２２０１と可動側底部２３０１で底部４が構成され、固定側大マチ部２２０２と可動側大マチ部２３０２で大マチ部５が構成されている。
【００４１】
ここで、図５は、前記固定側胴部２２と前記可動側胴部２３が連結している部分の縦断正面図であり、図において、前記固定側胴部２２と可動側胴部２３における互いに対向する面には、前後方向に向けて嵌合凸部２４と嵌合凹部２５が形成されており、固定側胴部２２における嵌合凸部２４が可動側胴部２３における嵌合凹部２５に嵌合するとともに、固定側胴部２２における嵌合凹部２５に可動側胴部２３における嵌合凸部２４が嵌合しており、これにより、固定側胴部２２に可動側胴部２３がスライド自在に連結され、胴部３の前後方向への幅を伸縮自在にしている。
【００４２】
そして、前記胴部３は、前記フレーム枠１４における下側の連結管１６ａ、１６ｂ上に底部４が配置される配置で、フレーム枠１４上に載置されており、固定側フレーム枠１４ａの支柱１５ａに固定側胴部２２の一端側が連結され、可動側フレーム枠１４ｂの支柱１５ｂに可動側胴部２３の一端側が連結され、これにより、フレーム枠１４に胴部３が固定されている
【００４３】
但し、胴部３の前後方向への幅を伸縮自在にする方法はこの方法には限定されず、その他の方法を採用しても良い。例えば図６は本発明の胴部３の他の構成を説明する図であり、図において２２が固定側胴部、２３が可動側胴部であり、図６における可動側胴部２３は、アコーディオン状としている。即ち、布、樹脂等をアコーディオン状に伸縮自在にして可動側胴部２３を構成し、その一端側を前記固定側胴部２２に連結して胴部３を構成している。
【００４４】
そして、前記フレーム枠１４における下側の連結管１６ａ、１６ｂ上に載置され、固定側フレーム枠１４ａの支柱１５ａに固定側胴部２２の一端側が連結され、可動側フレーム枠１４ｂの支柱１５ｂにアコーディオン状の可動側胴部２３の一端側が連結され、これにより、フレーム枠１４に胴部３が固定される
【００４５】
一方、図７に示す胴部３では、図６に示す胴部３における固定側胴部２２と可動側胴部２３の配置を逆にした構成である。即ち、アコーディオン状の可動側胴部２３を背板側に配置し、この可動側胴部２３における前板側の端部に前記固定側胴部２２に連結して胴部３を構成し、この胴部３を、前記フレーム枠１４における下側の連結管１６ａ、１６ｂ上に載置し、可動側胴部２３を固定側フレーム枠１４ａの支柱１５ａに連結し、固定側胴部２２の一端を可動側フレーム枠１４ｂの支柱１５ｂに連結する構成とし、このように胴部３を構成してもよい。
【００４６】
更に、図８に示す胴部では、底板と底板の両端に上方に連設した大マチ部を有する胴部を２個具備して、一方の胴部を固定側フレーム枠１４ａの支柱１５ａに連結して背板側の固定側胴部２２ｂとして、他方の胴部を可動側フレーム枠１４ａの支柱１５ｂに連結して前板側の固定側胴部２２ｃとして、前記背板側の固定側胴部２２ｂと前板側の固定側胴部２２ｃ間に、アコーディオン状の可動側胴部２３を配置しており、このように胴部３を構成してもよい。
【００４７】
そして、アコーディオン状の可動側胴部２２ｂを採用する場合には、底部及び大マチ部の全てをアコーディオン状にしてもよいが、その他、図６、７、８に示すように、底部分は、前記固定側胴部２２における固定側底部２２０１にスライド自在に連結されたスライドベース２６としても良い。
【００４８】
更にまた、図９に示す胴部３では、胴部３の全体を、伸縮自在の硬質のゴムで構成しており、前記フレーム枠１４における下側の連結管１６上に載置するとともに、固定側フレーム枠１４ａの支柱に一端側を連結し、可動側フレーム枠１４ｂ他端側を連結し、これにより、前後方向に伸縮自在にして、フレーム枠１４に固定しており、このように胴部３を構成してもよい。
【００４９】
なお、前述の説明では、固定側フレーム枠１４ａと可動側フレーム枠１４ｂのいずれも、支柱１５ａ、１５ｂを有して、この支柱１５ａ、１５ｂに固定側連結管１６ａと可動側連結管１６ｂを突設した構成を採用したが、このほか、前述したように、支柱を具備せず、背板７に固定側連結管１６ａを突設し、前板６に可動側連結管１６ｂを突設し、固定側連結管１６ａと可動側連結管１６ｂのみでフレーム枠１４を構成しても良い。
【００５０】
次に、このように構成される本実施例のスクールバッグ１の作用について説明すると、教科書等の収容物が少ない場合には、固定側フレーム枠１４ａに対して可動側フレーム枠１４ｂを、前後方向の長さが縮む方向にスライドさせる。そうすると、胴部３の前後方向の幅を縮めることができ、主収容部２の容量を少なくし、主収容部２の内部で教科書等が揺動することを防止することができる。
【００５１】
一方、教科書等の収容物が多い場合には、固定側フレーム枠１４ａに対して可動側フレーム枠１４ｂを、前後方向の長さが伸長する方向にスライドさせる。そうすると、胴部３の前後方向の幅を伸ばすことができ、主収容部２の容量を多くして、多数の荷物等を収容することが可能である。
【００５２】
そしてこのとき、本実施例では、可動側連結管１６ｂの外周側には係止突起１８を内周側に退避自在に突出させ、固定側連結管１６ａには係止突起が係止する係止孔２１を形成しているために、係止突起１８と係止孔２１の係止箇所を変更することで、固定側連結管１６ａに対するスライドの割合を任意に調節することができ、それにより、胴部３の前後方向の幅を任意の幅で固定することが可能である。
【００５３】
このように、本実施例のスクールバッグでは、固定側フレーム枠１４ａと、この固定側フレーム枠１４ａに対してスライド自在に連結されて前後方向の長さを伸縮自在としたフレーム枠１４を有して、このフレーム枠１４に主収容部２を固定するとともに、主収容部を構成する胴部３は前後方向の幅を伸縮自在としているために、固定側フレーム枠１４ａに対する可動側フレーム枠１４ｂのスライドの割合を変えることで、胴部３の前後方向の幅を変化させて、主収容部２の容量を自在に可変することが可能である。
【００５４】
従って、本実施例のスクールバッグでは、収容物が少ない場合に教科書等がスクールバッグ内で揺動してしまい、それによりスクールバッグを背負いづらくなってしまうという問題点を解決することができるとともに、収容物が多い場合でも、スクールバッグの他に手提げかばん等をたくさん持たなければならないことを無くすることが可能である。
【産業上の利用可能性】
【００５５】
本発明のスクールバッグは、収容物の量に応じて容積を可変自在にすることができるので、収容物が変化する可能性のあるバッグの全般に適用可能である。
【符号の説明】
【００５６】
１    スクールバッグ
２    主収容部
３    胴部
４    底板
５    大マチ部
６    前板
７    背板
８    胴前収容部
９    中マチ部
１０    正面板
１１    蓋
１２    肩ベルト
１３    肩ベルト上端取付環
１４    フレーム枠
１４ａ    固定側フレーム枠
１４ｂ    可動側フレーム枠
１５ａ、１５ｂ    支柱
１６    連結管
１６ａ    固定側連結管
１６ｂ    可動側連結管
１７ａ、１７ｂ    連結部
１８    係止突起
１９    スプリング
２０    貫通孔
２１    係止孔
２２    固定側胴部
２２０１    固定側底部
２２０２    固定側大マチ部
２３    可動側胴部
２３０１    可動側底部
２３０２    可動側大マチ部
２２ｂ    背板側胴部
２２ｃ    前板側胴部
２４    嵌合凸部
２５    嵌合凹部
２６    スライドベース
２７ａ    固定側ストッパー
２７ｂ    可動側ストッパー
【図１】
2016120057.tif 000003
【図２】
2016120057.tif 000004
【図３】
2016120057.tif 000005
【図４】
2016120057.tif 000006
【図５】
2016120057.tif 000007
【図６】
2016120057.tif 000008
【図７】
2016120057.tif 000009
【図８】
2016120057.tif 000010
【図９】
2016120057.tif 000011
【図１０】
2016120057.tif 000012